(57)【要約】【課題】食器棚，本棚，陳列棚等の種々の収納筺体の収納室開口よりも外側位置に引戸を備え且つ引戸相互にストッパを備えたものであって、且つ通常は拭き掃除が困難な前面側引戸の裏面をほぼ全面にわたって拭き掃除ができるようにすること。【解決手段】収納筺体Ｃの収納室開口の外方に装着される引戸であって、前記収納筺体Ｃから離れて位置する前面側引戸Ａ１　と、前記収納室の開口側に近接して位置する後面側引戸Ａ２　とからなること。その後面側引戸Ａ２　の閉じ側の縦部材３０には前記前面側引戸Ａ１　の開い側の縦部材３と当接するストッパ部材３１が装着され、且つストッパ部材３１は前記後面側引戸Ａ２　から着脱自在とすること。【選択図】　　　図１
2004100398.tif 000002
【特許請求の範囲】
【請求項１】
収納筺体の収納室開口の外方に装着される引戸であって、前記収納筺体から離れて位置する前面側引戸と、前記収納室の開口側に近接して位置する後面側引戸とからなり、該後面側引戸の閉じ側の縦支持部材には前記前面側引戸の開き側の縦支持部材と当接するストッパ部材が装着され、且つストッパ部材は前記後面側引戸から着脱自在としてなることを特徴とする引戸装置。
【請求項２】
請求項１において、前記ストッパ部材は前記後面側引戸の裏面側から固着具にて締付け自在としてなることを特徴とする引戸装置。
【請求項３】
請求項１において、前記ストッパ部材は前記後面側引戸に対してストッパ部材の正面側から固着具にて締付け自在としてなることを特徴とする引戸装置。
【発明の詳細な説明】
【０００１】
【発明の属する技術分野】
本発明は、食器棚，本棚，陳列棚等の種々の収納筺体の収納室開口よりも外側位置に引戸を備え且つ引戸相互にストッパを備えたものであって、且つ通常は拭き掃除が困難な前面側引戸の裏面をほぼ全面にわたって拭き掃除ができる引戸装置に関する。
【０００２】
【従来の技術】
従来より、食器棚，本棚，陳列棚等の種々の収納家具には、その収納筺体にガラス窓を備えた引戸が装着されることが多い。この引戸において、収納筺体の収納室開口箇所の外側に上下にガイドレールが装着され、そのガイドレールに沿って引戸が開閉するものが存在する。この種の引戸は、一般的に一つの収納筺体に２つの引戸が備わっているものが多い。そして、収納室開口の室内側に引戸レールが装備されたものでは、引戸の閉じ状態及び開き状態におけるそれぞれのストッパは、収納室の内壁板を利用して引戸の幅方向端面が当接し、ストッパとしての役目をなしている。
【０００３】
収納室開口より外部に露出するようにして引戸のガイドレールを備えたものでは、図１１（Ｅ）に示すような収納筺体の開口の収納内室側に引戸が装着されたものとは異なり、収納室の内壁を引戸のストッパとして使用することが構造的に不可能であるが、そのかわりに外観又はデザインを重視したものとしている。そのために、収納室の開口箇所から外部に突出するように小さなストッパ部材を装着することもある。これによって、閉じ状態における各引戸が収納筺体から外れないように停止させることができる。
【０００４】
閉じ状態にある引戸において、後面側引戸はそのままにしておいて、前面側引戸のみを開く方向に移動させた場合に後面側引戸の閉じ状態におけるストッパでは短すぎて前面側引戸が開き方向に過剰に移動し、前面側引戸のガイド輪がガイドレールから脱輪するおそれがある。また、収納筺体に前面側引戸の開き方向のためのストッパを設けることは十分に可能であるが、そのストッパが収納筺体の外方に突出する量が多くなりすぎ、収納筺体の外観を損なうのみならず、衣服に引っ掛かったり或いは直接人体にひっかかり怪我をするおそれがあり、このような収納筺体の外方に突出するストッパはなるべく小さいサイズのものとなっている。
【０００５】
【発明が解決しようとする課題】
ところで、前面側引戸を開き方向に移動させた場合のストッパは、外観及び安全性等の点から、大きなものを装着することはできない。そこで、この種の引戸装置は、図１１（Ａ），（Ｂ）に示すように、後面側引戸ｂにストッパｂ１　を設けたものが存在している。これは後面側引戸ｂの枠体を構成する閉じ側縦支持部材に前面側引戸ａの開き側端部が当接するストッパｂ１　を装着したものである。このストッパｂ１　は、図１１（Ａ）に示すように、前記後面側引戸ｂの閉じ側の縦支持部材にストッパｂ１　を一体成形したもので、ストッパｂ１　は、後面側引戸ｂから分離することはできない。これによって、後面側引戸ｂの閉じ側縦支持部材に形成されたストッパｂ１　が前面側引戸ａの開き側移動におけるストッパｂ１　の役割をなすものである。
【０００６】
上記の引戸では、引戸の拭き掃除で、前面側引戸ａ裏面側を拭き掃除する場合に、以下に示すような問題点が生じる。まず、この後面側引戸ｂに形成したストッパｂ１　には、前面側引戸ａの開き側縦支持部材が当接するので、前面側引戸ａと後面側引戸ｂとがすれ違い移動することができない。すなわち前面側引戸ａと後面側引戸ｂとは重なり合うことはできるが、前面側引戸ａが後面側引戸ｂに形成されたストッパｂ１　のために相互に反対側へ移動することができない。
【０００７】
そのために、前面側引戸ａのガラスの裏面側は、前面側引戸ａの開き具合によって、引戸と収納筺体の側板との間から腕が入る程度に前面側引戸ａを開くと、図１１（Ｂ）に示すように、前面側引戸ａは領域Ｔ１　の範囲で拭き掃除が可能である。しかし、前面側引戸ａの残りの領域Ｔ２　は、後面側引戸ｂとの重なり部分なので拭き掃除ができない。しかも、図１１（Ｃ）に示すように、後面側引戸ｂのストッパｂ１　により停止線Ｋで停止させられ、両引戸ａ，ｂはすれ違い移動ができない。
【０００８】
それゆえに、前記未掃除部分である前面側引戸ａの領域Ｔ２　は、後面側引戸ｂが常に重なる状態となるので、図１１（Ｄ）に示すように、その前面側引戸ａの領域Ｔ２　部分は、その前面側引戸ａをガイドレールから外す以外に拭き掃除することはできない。とくに、収納筺体が食器棚又は食品棚として使用されるものでは、常時清潔にすることが望まれており、引戸装置において拭き掃除が確実にできるものが望まれている。本発明の目的は、上述したように、引戸装置において、前面側引戸の裏面側の拭き掃除が全面的にできるようにすることにある。
【０００９】
【課題を解決するための手段】
そこで、発明者は、上記課題を解決すべく、鋭意，研究を重ねた結果、本発明を、収納筺体の収納室開口の外方に装着される引戸であって、前記収納筺体から離れて位置する前面側引戸と、前記収納室の開口側に近接して位置する後面側引戸とからなり、該後面側引戸の閉じ側の縦支持部材には前記前面側引戸の開き側の縦支持部材と当接するストッパ部材が装着され、且つストッパ部材は前記後面側引戸から着脱自在としてなる引戸装置としたことにより、収納筺体の収納室開口よりも外側位置に引戸を備え且つ引戸相互にストッパを備えたものであって、且つ通常は拭き掃除が困難な前面側引戸の裏面をほぼ全面に拭き掃除ができ、上記課題を解決したものである。
【００１０】
【発明の実施の形態】
以下、本発明の実施形態を図面に基づいて説明する。引戸Ａは、図２，図３に示すように、前面側引戸Ａ１　と後面側引戸Ａ２　とから構成され、収納筺体Ｃの収納室開口より外方、すなわち収納筺体Ｃの外部に露出するようにして前面側引戸Ａ１　と後面側引戸Ａ２　が配置されるものである。これは、図１１（Ｅ）に示すように、従来の収納筺体ｃ内の開口より収納室側に引戸が装着されたものとは異なる。そして、収納筺体Ｃの開口外部の上下方向に装着された上部ガイドレール１１及び下部ガイドレール１３に沿って前面側引戸Ａ１　と後面側引戸Ａ２　とが開閉移動自在となっている。その前面側引戸Ａ１　の引戸枠は、上部支持部材１と，下部支持部材２と，縦支持部材３，３と、面板４とからなる。
【００１１】
その上部支持部材１，下部支持部材２及び縦支持部材３，３には、それぞれ面板支持溝１ａ，２ａ，３ａがそれぞれ形成されており、これらによって面板４が支持される。面板４はガラス，アクリル等の透明材である。その上部支持材１は、上部ガイド輪５が装着され、該上部ガイド輪５が上部ガイドレール１１に従って転動し、前面側引戸Ａ１　の開閉動作が行われる。その縦支持部材３は、断面形状が方形状であり，且つ内部は中空状であり、アルミ等の引き抜き加工によって形成される。また、縦支持部材３には、必要に応じて取手３ｂが形成される。
【００１２】
次に、後面側引戸Ａ２　は、前面側引戸Ａ１　と同等の構造であるが、縦支持部材３，３に対して符号を変化させて後面側引戸Ａ２　は縦支持部材３０，３０とすることにする〔図１（Ａ）参照〕。この縦支持部材３０，３０は、後面側引戸Ａ２　の閉じ側における縦支持部材３０には、後述するストッパ部材３１が着脱自在に装着される。ここで、前面側引戸Ａ１　と後面側引戸Ａ２　の閉じ方向及び閉じ側について説明する。前面側引戸Ａ１　の閉じ方向とは、図１に示すように、収納筺体Ｃの開口をこれを使用する者から見て右側に向かう方向である。また前面側引戸Ａ１　の閉じ側とは、完全に閉じた状態で前面側引戸Ａ１　が収納筺体Ｃの収納側板１５に位置する側であり、図１において前面側引戸Ａ１　の右側端であり、その右側端が閉じたときに当接する収納側板１５は右側に位置するものである。
【００１３】
後面側引戸Ａ２　の閉じ方向とは、収納筺体Ｃの開口をこれを使用する者から見て左側に向かう方向である。また後面側引戸Ａ２　の閉じ側とは、完全に閉じた状態で後面側引戸Ａ２　が収納筺体Ｃの収納側板１５に位置する側であり、図１（Ａ）において左側端であり、その後面側引戸Ａ２　の左側端が当接する収納側板１５の左側に位置するものである。なお、上記前面側引戸Ａ１　と後面側引戸Ａ２　との閉じ側及び閉じ方向については、必ずしも上記に限定されるものではなく、前面側引戸Ａ１　と後面側引戸Ａ２　の閉じ位置の設定条件を反対にすれば、閉じ方向及び閉じ側も上記とは反対となる。
【００１４】
後面側引戸Ａ２　の閉じ側の縦支持部材３０にも前記縦支持部材３と同様に面板支持溝３０ａが形成されている。さらに、縦支持部材３０の上下方向に沿って装着用凹部３０ｄが形成されている。その装着用凹部３０ｄは、具体的には偏平状の浅い凹みとなっている。該装着用凹部３０ｄは、ストッパ部材３１を正確に装着するための位置決めとしての役目をなすものであり、ストッパ部材３１を正確な位置に装着することができるようになっている。
【００１５】
次に、前記ストッパ部材３１は、図６に示すように、断面ほぼ正方形状なしており、前記縦支持部材３０等と同様に引き抜き加工としたものが好適である。その長手方向の長さは、縦支持部材３０とほぼ同等の長さとしたり、或いは短いものであってもよく、その長さは適宜に設定される。そのストッパ部材３１は、取手３１ｄが形成されているが、該取手３１ｄが形成されていないこともある。そのストッパ部材３１は、前記縦支持部材３０の装着用凹部３０ｄと同等形状の突起部３１ａが形成されている。該突起部３１ａは、略偏平台形状に形成されており、ストッパ部材３１の長手方向に沿って全面的に形成されている。
【００１６】
次に、後面側引戸Ａ２　の閉じ側の支持部材３０とストッパ部材３１との着脱構造を説明する。前記縦支持部材３０には、図６（Ａ），（Ｂ）に示すように、ストッパ部材３１を固着するためのボルト，ビス等の固着具３２用の貫通孔３０ｂが形成されている。またストッパ部材３１の突起部３１ａが形成されている側には、内螺子孔３１ｂが形成されている。一方、貫通孔３０ｂには固着具３２が貫通するとともに、前記ストッパ部材３１の内螺子孔３１ｂに螺合して縦支持部材３０とストッパ部材３１とが固着されるものである。
【００１７】
前記内螺子孔３１ｂは、前記ストッパ部材３１の長手方向に沿って複数形成される。その内螺子孔３１ｂ，３１ｂ，…のそれぞれの位置に対応するようにして縦支持部材３０の側にも複数の貫通孔３０ｂ，３０ｂ，…が形成されるものである。この縦支持部材３０とストッパ部材３１との装着は、後面側引戸Ａ２　の裏面側から固着具３２の螺子軸を差し込み、該固着具３２によってストッパ部材３１を固着することができるようになっている。
【００１８】
また、図７（Ａ），（Ｂ）に示すように、ストッパ部材３１側から固着具３２を挿入して縦支持部材３０にストッパ部材３１を固着することもある。そのストッパ部材３１には、固着具３２が遊挿自在な貫通孔３１ｃが形成される。また、縦支持部材３０側には内螺子孔３０ｃが形成される。そして、ストッパ部材３１の表面側より固着具３２を挿入し、その螺子軸は縦支持部材３０に形成された内螺子孔３０ｃに螺合されて、ストッパ部材３１が固着される。以上のように、ストッパ部材３１は固着具３２の締付け及び緩めることにより縦支持部材３０から着脱自在な構造となっている。
【００１９】
上記前面側引戸Ａ１　と後面側引戸Ａ２　とが装着される上部ガイドＢ１　は、図９，図１０（Ａ）に示すように、上ガイド支持部１０と、　上部ガイドレール１１とから構成されており、その上ガイド支持部１０に上部ガイドレール１１が装着されている。前記上部ガイドレール１１は、前記上ガイド支持部１０の支持底面上において前後方向（図１０においては左右方向）に位置調整ができるようになっている。さらに、下部ガイド枠材Ｂ２　は、図１０（Ｂ）に示すように、下ガイド支持部１２と下部ガイドレール１３とから構成されている。その下ガイド支持部１２は、下部ガイドレール１３が装着され、前記上ガイド支持部１０及び下ガイド支持部１２が収納筺体Ｃの収納側板１５，１５及び頂部，底部により形成された収納室１６の開口部の外部に装着されている。
【００２０】
その上部ガイド枠材Ｂ１　の上部ガイドレール１１には、前面側引戸Ａ１　及び後面側引戸Ａ２　の上部支持部材１に装着されたガイド輪が転動するように構成されている。さらに、前記下部ガイド枠材Ｂ２　の下部ガイドレール１３には前記前面側引戸Ａ１　，後面側引戸Ａ２　の下部支持部材２に装着され、水平面上を回動する下部ガイド輪１４が案内されるようになっている。
【００２１】
【作用】
まず、通常は、後面側引戸Ａ２　の閉じ側の縦支持部材３０にはストッパ部材３１が装着された状態にある。このストッパ部材３１は、前記前面側引戸Ａ１　の開き側移動におけるストッパとしての役目をなす。具体的には、図２（Ａ）に示すように、前面側引戸Ａ１　及び後面側引戸Ａ２　が収納筺体Ｃに対して閉じ状態の位置にあり、その前面側引戸Ａ１　を開き方向に移動させると、図１（Ｂ）に示すように、前面側引戸Ａ１　の開き側の縦支持部材３がストッパ部材３１に当接して停止するものである。
【００２２】
そして、図１（Ａ）に示すように、後面側引戸Ａ２　の縦支持部材３０からストッパ部材３１を取り外すことによって、図１（Ｂ）に示すように、前面側引戸Ａ１　と後面側引戸Ａ２　とは、すれ違い状態に移動することができる。そして、さらに図１（Ｃ）に示すように、その前面側引戸Ａ１　と後面側引戸Ａ２　とは、それぞれが閉じ状態のときとは、ほぼ反対側の位置にまで到達することができる。
【００２３】
次に、前面側引戸Ａ１　の面板４の裏面側を拭き掃除する場合について述べる。まず、前述したように後面側引戸Ａ２　の縦支持部材３０からストッパ部材３１を取り外しておく。そして、図８（Ａ）に示すように、前面側引戸Ａ１　を完全に閉じた状態から腕が入る程度に開く。ここで、前面側引戸Ａ１　と後面側引戸Ａ２　との重なり領域Ｓ３　を除いた掃除可能領域Ｓ１　が拭き掃除することができる領域となる。
【００２４】
次に、後面側引戸Ａ２　を開き側〔図８（Ｂ）では右側〕に移動させる。その後面側引戸Ａ２　は、前記ストッパ部材３１が取り外されているので、前述したように、後面側引戸Ａ２　と前面側引戸Ａ１　とはすれ違い状態に移動させることができる。そして、前面側引戸Ａ１　の開き側端部と左側の収納側板１５との間に腕が入る程度に開いておくと、その前面側引戸Ａ１　の裏面には、図８（Ｂ）に示すように、新たに掃除可能領域Ｓ２　が露出される。掃除可能領域Ｓ２　は前記重なり領域Ｓ３　よりも広く、常にＳ２　＞Ｓ３　なる関係である。その掃除可能領域Ｓ２　は、前面側引戸Ａ１　をなるべくに開き側に移動させておくことで、さらに広くすることができ、実際にはＳ１　＋Ｓ２　＞前面側引戸Ａ１　の掃除領域とすることも可能で、掃除可能領域Ｓ２　は前記掃除可能領域Ｓ１　と交わる部分を生じさせることもでき、拭き残しが生じないようにすることができる。
【００２５】
【発明の効果】
請求項１の発明は、収納筺体Ｃの収納室開口の外方に装着される引戸であって、収納筺体Ｃから離れて位置する前面側引戸Ａ１　と、前記収納室の開口側に近接して位置する後面側引戸Ａ２　とからなり、該後面側引戸Ａ２　の閉じ側の縦支持部材３０には前面側引戸Ａ１　の開き側縦支持部材３と当接するストッパ部材３１が装着され、且つストッパ部材３１は前記後面側引戸Ａ２　から着脱自在としてなる引戸装置としたことにより、前面側引戸Ａ１　の裏面側を全面にわたり拭き掃除することができる。
【００２６】
上記効果を詳述すると、後面側引戸Ａ２　にはストッパ部材３１が着脱自在に装着されており、このストッパ部材３１を取り外すことにより、前面側引戸Ａ１　と後面側引戸Ａ２　とは上部ガイドレール１１に沿ってすれ違い状態の移動が自在となる。これによって、後面側引戸Ａ２　を閉じ状態のままにしておき、前面側引戸Ａ１　を少し開いてその裏面側部分を拭き掃除し、前記後面側引戸Ａ２　を開き側に移動させるとともに前面側引戸Ａ１　を開き側に少し間隔をおいて設定すれば、その間隔から腕を挿入して前面側引戸Ａ１　の残り部分の未掃除部分を拭き掃除することができる。
【００２７】
よって、この種の引戸では、前面側引戸Ａ１　は、従来では収納筺体Ｃから取り外さなければ、裏面を全面的に拭き掃除することができないものであったが、本発明により、後面側引戸Ａ２　の縦支持部材３０からストッパ部材３１を取り外すのみで、いままで、引戸を装着したままでは拭き掃除が不可能であった領域を極めて簡単に且つ確実にできるものである。
【００２８】
請求項２の発明は、請求項１において、前記ストッパ部材は前記後面側引戸Ａ２　の裏面側から固着具３２にて締付け自在としてなる引戸装置としたことにより、ストッパ部材３１には固着具３２が露出せず、その引戸全体の外観を極めて良好にすることができる。
【００２９】
請求項３の発明は、請求項１において、前記ストッパ部材３１は前記後面側引戸Ａ２　に対してストッパ部材３１の正面側から固着具３２にて締付け自在としてなる引戸装置としたことにより、前記ストッパ部材３１を縦支持部材３０から取り外す作業を行う場合に、固着具３２の締付及び取り外し作業を含めて、全て後面側引戸Ａ２　の表面側、すなわち使用する者側から作業を行うことができる。これによって、後面側引戸Ａ２　の裏側に手を差し伸べて固着具３２の締め付けや取り外しをすることがなく、ストッパ部材３１の取り外しの作業性を向上させることができる。
【図面の簡単な説明】
【図１】（Ａ）は引戸装置において後面側引戸からストッパ部材を外した状態の縦断平面図
（Ｂ）は前面側引戸と後面側引戸とがすれ違い自在であることを示す縦断平面図
（Ｃ）は前面側引戸と後面側引戸とが相互に開き方向の終端にて停止した状態を示す縦断平面図
【図２】（Ａ）は本発明の前面側引戸と後面側引戸とが閉じた状態に簡略化した縦断平面略示図
（Ｂ）は前面側引戸が開いてストッパ部材に当接した状態の縦断平面略示図
（Ｃ）は前面側引戸が開いてストッパ部材に当接した状態の要部の拡大縦断平面図
【図３】引戸装置の正面図
【図４】（Ａ）は後面側引戸にストッパ部材を装着した高さ方向に一部切除した斜視図
（Ｂ）は後面側引戸からストッパ部材を取り外した状態の要部斜視図
【図５】（Ａ）は後面側引戸からストッパ部材を取り外した要部拡大斜視図
（Ｂ）は後面側引戸にストッパ部材を装着した要部拡大斜視図
【図６】（Ａ）は縦支持部材にストッパ部材を固着具を介して装着した縦断平面図
（Ｂ）は縦支持部材とストッパ部材とを分離した縦断平面図
【図７】（Ａ）はストッパ部材側から縦支持部材に固着具を介して装着した縦断平面図
（Ｂ）は縦支持部材とストッパ部材とを分離した縦断平面図
【図８】（Ａ）は前面側引戸の閉じ側における裏面側の掃除可能領域を拭き掃除している状態を示す作用図
（Ｂ）は前面側引戸の開き側における掃除可能領域を拭き掃除している状態を示す作用図
【図９】引戸装置の縦断側面図
【図１０】（Ａ）は引戸装置の上部拡大断面図
（Ｂ）は引戸装置の下部拡大断面図
【図１１】（Ａ）は従来技術において引戸に一体成形されたストッパに他の引戸が当接した状態を示す縦断平面図
（Ｂ）は前面側引戸の裏面側を拭き掃除可能な領域を掃除している状態の略示図
（Ｃ）は前面側引戸と後面側引戸とのすれ違い移動が不可能な状態を示す略示図
（Ｄ）は前面側引戸が後面側引戸によって拭き掃除ができない状態を示す略示図
（Ｅ）は収納開口内側に引戸が装着された収納筺体開口付近の略示図
【符号の説明】
Ａ１　…前面側引戸
Ａ２　…後面側引戸
Ｃ…収納筺体
３０…縦支持部材
３１…ストッパ部材
３２…固着具
【図１】
2004100398.tif 000003
【図２】
2004100398.tif 000004
【図３】
2004100398.tif 000005
【図４】
2004100398.tif 000006
【図５】
2004100398.tif 000007
【図６】
2004100398.tif 000008
【図７】
2004100398.tif 000009
【図８】
2004100398.tif 000010
【図９】
2004100398.tif 000011
【図１０】
2004100398.tif 000012
【図１１】
2004100398.tif 000013